(57)【要約】【課題】放電灯負荷回路の部品の特性値にバラツキがある場合でも、調整用の部品を付加することなくバラツキを補正することができる放電灯点灯装置を提供する。【解決手段】放電灯点灯装置１０００は、ドライブ信号により駆動して高周波電力を放電灯１１０に供給するインバータ回路３００と、インバータ回路３００の駆動周波数に対応する値である基準指令値を記憶する駆動周波数基準指令値記憶部３１５と、基準指令値を補正する補正値を記憶する不揮発性メモリ４００ａと、基準指令値とこの補正値とに基づいてインバータ回路３００の駆動周波数を算出し、算出した駆動周波数に対応する制御信号を生成して出力するインバータ制御回路３１０ａと、インバータ制御回路３１０ａが出力した制御信号からインバータ回路３００を駆動するドライブ信号を生成し、生成したドライブ信号をインバータ回路３００に出力するインバータ駆動回路３２０とを備えた。【選択図】図１
2007213871.tif 000002
【特許請求の範囲】
【請求項１】
放電灯を点灯させる放電灯点灯装置において、
ドライブ信号にしたがって所定の駆動周波数で駆動することにより、駆動周波数に応じた高周波電力を前記放電灯に供給するインバータ回路と、
前記インバータ回路の駆動周波数に対応する値である駆動周波数対応値を記憶する駆動周波数対応値記憶部と、
前記駆動周波数対応値記憶部が記憶する駆動周波数対応値を補正する補正値を記憶する補正値記憶部と、
前記駆動周波数対応値記憶部が記憶する駆動周波数対応値と前記補正値記憶部が記憶する補正値とに基づいて前記インバータ回路の駆動周波数を算出し、算出した駆動周波数に対応する制御信号を生成して出力する制御信号出力部と、
前記制御信号出力部が出力した制御信号から前記インバータ回路を駆動するドライブ信号を生成し、生成したドライブ信号を前記インバータ回路に出力するインバータ駆動回路と
を備えたことを特徴とする放電灯点灯装置。
【請求項２】
前記放電灯点灯装置は、さらに、
所定の周波数のクロック信号を発振するクロック発振回路を備え、
前記制御信号出力部は、
前記クロック発振回路の発振するクロック信号の周波数を前記駆動周波数対応値記憶部が記憶する駆動周波数対応値と前記補正値記憶部が記憶する補正値との和で除算し、除算して得られた値を前記インバータ回路の駆動周波数とすることを特徴とする請求項１記載の放電灯点灯装置。
【請求項３】
前記駆動周波数対応値記憶部は、
前記インバータ回路の駆動周波数のうちあらかじめ基準として定められた基準駆動周波数に対応する駆動周波数対応値を基準指令値として記憶することを特徴とする請求項１または２いずれかに記載の放電灯点灯装置。
【請求項４】
放電灯を点灯させる放電灯点灯装置において、
ドライブ信号にしたがって所定の駆動周波数で駆動することにより、駆動周波数に応じた高周波電力を前記放電灯に供給するインバータ回路と、
前記放電灯の点灯時間を累積して累積点灯時間として記録する累積点灯時間記録部と、
前記インバータ回路の駆動周波数に対応するとともに前記累積点灯時間記録部に記録された累積点灯時間からいずれかが定まる複数の駆動周波数対応値を記憶する駆動周波数対応値記憶部と、
前記累積点灯時間記録部に記録された累積点灯時間を参照することにより前記駆動周波数対応値記憶部が記憶する複数の駆動周波数対応値の中から所定の駆動周波数対応値を選択値として選択し、選択した選択値に基づいて前記インバータ回路の駆動周波数を算出し、算出した駆動周波数に対応する制御信号を生成して出力する制御信号出力部と、
前記制御信号出力部が出力した制御信号から前記インバータ回路を駆動するドライブ信号を生成し、生成したドライブ信号を前記インバータ回路に出力するインバータ駆動回路と
を備えたことを特徴とする放電灯点灯装置。
【請求項５】
前記放電灯点灯装置は、さらに、
所定の周波数のクロック信号を発振するクロック発振回路を備え、
前記制御信号出力部は、
前記クロック発振回路の発振するクロック信号の周波数を選択値で除算し、除算して得られた値を前記インバータ回路の駆動周波数とすることを特徴とする請求項４記載の放電灯点灯装置。
【請求項６】
前記放電灯点灯装置は、さらに、
前記駆動周波数対応値記憶部が記憶する複数の駆動周波数対応値のうちの少なくともいずれかを補正する補正値を記憶する補正値記憶部を備え、
前記制御信号出力部は、
選択値として選択した駆動周波数対応値に前記補正値記憶部が記憶する補正値が存在する場合には、選択値とこの選択値を補正する補正値とに基づいて前記インバータ回路の駆動周波数を算出することを特徴とする請求項４記載の放電灯点灯装置。
【請求項７】
前記放電灯点灯装置は、さらに、
所定の周波数のクロック信号を発振するクロック発振回路を備え、
前記制御信号出力部は、
選択値として選択した駆動周波数対応値に前記補正値記憶部が記憶する補正値が存在する場合には、前記クロック発振回路の発振するクロック信号の周波数を選択値とこの選択値を補正する補正値との和で除算し、除算して得られた値を前記インバータ回路の駆動周波数とすることを特徴とする請求項６記載の放電灯点灯装置。
【請求項８】
前記駆動周波数対応値記憶部は、
前記インバータ回路の駆動周波数のうちあらかじめ基準として定められた互いに異なる複数の基準駆動周波数のそれぞれに対応する複数の駆動周波数対応値を基準指令値として記憶することを特徴とする請求項４〜７いずれかに記載の放電灯点灯装置。
【発明の詳細な説明】
【技術分野】
【０００１】
この発明は、直流電源を高周波電源に変換して放電灯を点灯する放電灯点灯装置に関するもので、特に、放電灯負荷回路の部品のバラツキを調整するする機能を有する放電灯点灯装置に関するものである。
【背景技術】
【０００２】
特開平５−１９０２９１号公報（特許文献１）は、「放電灯に供給する電流のタイミングをスイッチング素子のオン・オフ制御により制御して前記放電灯の調光を行う放電灯点灯装置において、所定の発振周波数を有する発振手段と、この発振手段の発振周波数を複数の周波数に変換出力する周波数変換手段と、この周波数発振手段の変換周波数を制御する周波数制御手段と、前記周波数変換手段の変換周波数に従って前記スイッチング素子をオン・オフ制御する出力手段とを具備したことを特徴とする放電灯点灯装置。」を開示している。
【０００３】
特許文献１の実施例の回路図は、この特許文献１の図１（本願には添付していない）に示されている。また、この特許文献１の図１の制御回路４０に対応する回路部は、この特許文献１の図８（本願には添付していない）に示されている。また、この特許文献１の図８の「Ｓ１〜Ｓ４出力」と変換周波数の関係は上記特許文献１の表１（本願には添付していない）に示されている。即ち、この表１では、Ｓ１〜Ｓ４の組み合わせ可能な１６通り段階と変換周波数との対応関係が示されている。
【０００４】
また、上記１６通りの組み合わせは、特許文献１の図８の選択スイッチ群４２で選択される。例えば、段階５の変換周波数４８．８ｋＨｚで駆動した場合よりも、段階１０の変換周波数５５．６ｋＨｚで駆動した場合の方が、放電灯３の放電電流を減少させることができる。即ち、選択スイッチ群４２でＳ１〜Ｓ４の組み合わせを選択して変換周波数を選択すれば、放電灯３の調光ができるというものである。
【０００５】
しかし、チョークコイル４、コンデンサ８等の放電灯負荷回路を構成する部品には特性のバラツキがある。仮に、段階５の４８．８ｋＨｚの変換周波数で駆動したとしても、放電灯負荷回の構成部品の特性が同一でない場合には、同一の放電電流が得られないという課題がある。即ち、変換周波数を増減すれば放電灯の放電電流が減増するという相対的変化の制御を行うことは可能であるが、放電灯負荷回路の部品の特性バラツキにより、放電灯の放電電流もバラツクという課題がある。
【０００６】
従って、例えば同一フロアにある多数の放電灯の光出力を概略同一に揃えて、放電灯の光出力の経時変化に対応して補正するような応用の場合には、実用的に対応できないという課題がある。
【特許文献１】特開平５−１９０２９１号公報
【発明の開示】
【発明が解決しようとする課題】
【０００７】
この発明の第１の目的は、同一の駆動周波数（従来例の変換周波数に相当）の指令値（従来例の選択スイッチ群で選択されたＳ１〜Ｓ４に相当）の場合には、複数の放電灯点灯装置の光出力が概略同一にできる放電灯点灯装置を提供することを目的とする。
【０００８】
この発明の第２の目的は、経時変化に対応して放電灯の光出力を補正する放電灯点灯装置を提供することを目的とする。
【課題を解決するための手段】
【０００９】
この発明の放電灯点灯装置は、
放電灯を点灯させる放電灯点灯装置において、
ドライブ信号にしたがって所定の駆動周波数で駆動することにより、駆動周波数に応じた高周波電力を前記放電灯に供給するインバータ回路と、
前記インバータ回路の駆動周波数に対応する値である駆動周波数対応値を記憶する駆動周波数対応値記憶部と、
前記駆動周波数対応値記憶部が記憶する駆動周波数対応値を補正する補正値を記憶する補正値記憶部と、
前記駆動周波数対応値記憶部が記憶する駆動周波数対応値と前記補正値記憶部が記憶する補正値とに基づいて前記インバータ回路の駆動周波数を算出し、算出した駆動周波数に対応する制御信号を生成して出力する制御信号出力部と、
前記制御信号出力部が出力した制御信号から前記インバータ回路を駆動するドライブ信号を生成し、生成したドライブ信号を前記インバータ回路に出力するインバータ駆動回路と
を備えたことを特徴とする。
【００１０】
前記放電灯点灯装置は、さらに、
所定の周波数のクロック信号を発振するクロック発振回路を備え、
前記制御信号出力部は、
前記クロック発振回路の発振するクロック信号の周波数を前記駆動周波数対応値記憶部が記憶する駆動周波数対応値と前記補正値記憶部が記憶する補正値との和で除算し、除算して得られた値を前記インバータ回路の駆動周波数とすることを特徴とする。
【００１１】
前記駆動周波数対応値記憶部は、
前記インバータ回路の駆動周波数のうちあらかじめ基準として定められた基準駆動周波数に対応する駆動周波数対応値を基準指令値として記憶することを特徴とする。
【００１２】
この発明の放電灯点灯装置は、
放電灯を点灯させる放電灯点灯装置において、
ドライブ信号にしたがって所定の駆動周波数で駆動することにより、駆動周波数に応じた高周波電力を前記放電灯に供給するインバータ回路と、
前記放電灯の点灯時間を累積して累積点灯時間として記録する累積点灯時間記録部と、
前記インバータ回路の駆動周波数に対応するとともに前記累積点灯時間記録部に記録された累積点灯時間からいずれかが定まる複数の駆動周波数対応値を記憶する駆動周波数対応値記憶部と、
前記累積点灯時間記録部に記録された累積点灯時間を参照することにより前記駆動周波数対応値記憶部が記憶する複数の駆動周波数対応値のなかから所定の駆動周波数対応値を選択値として選択し、選択した選択値に基づいて前記インバータ回路の駆動周波数を算出し、算出した駆動周波数に対応する制御信号を生成して出力する制御信号出力部と、
前記制御信号出力部が出力した制御信号から前記インバータ回路を駆動するドライブ信号を生成し、生成したドライブ信号を前記インバータ回路に出力するインバータ駆動回路と
を備えたことを特徴とする。
【００１３】
前記放電灯点灯装置は、さらに、
所定の周波数のクロック信号を発振するクロック発振回路を備え、
前記制御信号出力部は、
前記クロック発振回路の発振するクロック信号の周波数を選択値で除算し、除算して得られた値を前記インバータ回路の駆動周波数とすることを特徴とする。
【００１４】
前記放電灯点灯装置は、さらに、
前記駆動周波数対応値記憶部が記憶する複数の駆動周波数対応値のうちの少なくともいずれかを補正する補正値を記憶する補正値記憶部を備え、
前記制御信号出力部は、
選択値として選択した駆動周波数対応値に前記補正値記憶部が記憶する補正値が存在する場合には、選択値とこの選択値を補正する補正値とに基づいて前記インバータ回路の駆動周波数を算出することを特徴とする。
【００１５】
前記放電灯点灯装置は、さらに、
所定の周波数のクロック信号を発振するクロック発振回路を備え、
前記制御信号出力部は、
選択値として選択した駆動周波数対応値に前記補正値記憶部が記憶する補正値が存在する場合には、前記クロック発振回路の発振するクロック信号の周波数を選択値とこの選択値を補正する補正値との和で除算し、除算して得られた値を前記インバータ回路の駆動周波数とすることを特徴とする。
【００１６】
前記駆動周波数対応値記憶部は、
前記インバータ回路の駆動周波数のうちあらかじめ基準として定められた互いに異なる複数の基準駆動周波数のそれぞれに対応する複数の駆動周波数対応値を基準指令値として記憶することを特徴とする。
【発明の効果】
【００１７】
この発明により、放電灯負荷回路の部品の特性値にバラツキがある場合でも、調整用の部品を付加することなくバラツキを補正することができる放電灯点灯装置を提供することができる。また、この発明により、経時変化に対応して放電灯の光出力を補正可能な放電灯点灯装置を提供することができる。
【発明を実施するための最良の形態】
【００１８】
実施の形態１．
図１〜図４を用いて実施の形態１を説明する。
【００１９】
実施の形態１における放電灯点灯装置１０００は、放電灯が装着される放電灯点灯回路の部品のバラツキに対応する値（後述の補正値）を不揮発性メモリに記憶し、前記部品のバラツキに起因する放電灯点灯電流のバラツキを補正する構成を備えるものである。なお、放電灯点灯回路の部品のバラツキは一例であり、揮発性メモリに記憶される値は、例えば、昇圧チョッパ回路により昇圧される電圧のバラツキに対応する値でもよい。
【００２０】
図１は、実施の形態１における放電灯点灯装置１０００の構成を示す回路図である。図１を参照して、放電灯点灯装置１０００の構成を説明する。
【００２１】
図１に示すように、放電灯点灯装置１０００は、
（１）ダイオードブリッジ２０、
（２）昇圧チョッパ回路２００、
（３）昇圧チョッパ制御回路２１０、
（４）インバータ回路３００、
（５）インバータ駆動回路３２０、
（６）インバータ制御回路３１０ａ、
（７）不揮発性メモリ４００ａ、
（８）放電灯が装着される放電灯負荷回路３３０
を備える。
【００２２】
（直流電源）
ダイオードブリッジ２０は、商用電源等の交流電源１０を全波整流して直流電源を供給する。直流電源としてのダイオードブリッジ２０の出力電圧は、昇圧チョッパ回路２００で昇圧・平滑される。
【００２３】
（昇圧チョッパ回路２００，昇圧チョッパ制御回路２１０）
昇圧チョッパ回路２００は昇圧チョッパ制御回路２１０で制御される。なお、昇圧チョッパ制御回路２１０の制御電源は図示を省略する。昇圧チョッパ回路２００において、チョークコイル３０はダイオードブリッジ２０（直流電源）の正極側出力とダイオード４０のアノードとの間に接続される。ダイオード４０のカソード側は、コンデンサ６０を介してダイオードブリッジ２０（直流電源）の負極側に接続される。ＭＯＳＦＥＴ（Ｍｅｔａｌ−Ｏｘｉｄｅ−Ｓｅｍｉｃｏｎｄｕｃｔｏｒ  Ｆｉｅｌｄ−Ｅｆｆｅｃｔ  Ｔｒａｎｓｉｓｔｏｒ）からなるスイッチング素子５０は、ダイオード４０のアノードとダイオードブリッジ２０（直流電源）の負極側との間に接続される。スイッチング素子５０の制御端子（ＭＯＳＦＥＴであるスイッチング素子５０のゲート）には、昇圧チョッパ制御回路２１０が接続される。昇圧チョッパ回路２００の出力は、インバータ回路３００に接続される。
【００２４】
（インバータ回路３００）
インバータ回路３００は、スイッチング素子７０、８０とから構成される。インバータ回路３００のスイッチング素子７０、８０は、インバータ制御回路３１０ａからの出力制御信号（以下、制御信号という場合がある。）を入力したインバータ駆動回路３２０が生成し出力するドライブ信号により駆動される。インバータ回路３００は、インバータ駆動回路３２０が出力するドライブ信号にしたがって所定の駆動周波数で駆動することにより、駆動周波数に応じた高周波電力を放電灯１１０に供給する。インバータ制御回路３１０ａ及びインバータ駆動回路３２０の制御電源は図示を省略する。インバータ回路３００において、ＭＯＳＦＥＴからなるスイッチング素子７０及びスイッチング素子８０は直列接続されて昇圧チョッパ回路２００の出力に接続される。スイッチング素子７０とスイッチング素子８０との接続点と昇圧チョッパ回路２００の負極側との間に放電灯負荷回路３３０が接続される。なお、スイッチング素子７０及びスイッチング素子８０のドレイン・ソース間に逆並列に内蔵されているダイオードは図示を省略する。
【００２５】
（放電灯負荷回路３３０）
放電灯負荷回路３３０は、カップリングコンデンサ９０、チョークコイル１００、放電灯１１０が直列に接続され、更に、放電灯１１０に対してコンデンサ１２０が並列に接続された構成である。カップリングコンデンサ９０の他端はスイッチング素子７０とスイッチング素子８０の接続点に接続され、放電灯１１０の他端は昇圧チョッパ回路２００の負極側に接続される。
【００２６】
（インバータ駆動回路３２０）
インバータ駆動回路３２０は、スイッチング素子７０及びスイッチング素子８０のゲートを駆動する。すなわち、インバータ駆動回路３２０は、インバータ制御回路３１０ａが出力した制御信号からドライブ信号を生成し、生成したドライブ信号をインバータ回路３００に出力し、スイッチング素子７０及びスイッチング素子８０を駆動する。
【００２７】
（不揮発性メモリ４００ａ）
不揮発性メモリ４００ａ（補正値記憶部の一例）は、駆動周波数基準指令値の補正値を記憶する。なお「駆動周波数基準指令値」、「補正値」については後に詳しく説明する。
【００２８】
（インバータ制御回路３１０ａ）
インバータ制御回路３１０ａについて説明する。インバータ制御回路３１０ａは、例えば、マイクロコンピュータ（以下、マイコンと呼ぶ）で実現される。図１に示すように、インバータ制御回路３１０ａは、駆動周波数基準指令値記憶部３１５、補正値一時格納部３１３、クロック発振回路３１２、駆動周波数生成出力回路３１１、動作モード切替回路３１４を備える。
【００２９】
（１）駆動周波数基準指令値記憶部３１５（駆動周波数対応値記憶部の一例）は、後述する駆動周波数基準指令値（駆動周波数対応値の一例）やプログラムを記憶する。なお、「駆動周波数基準指令値」を、単に「基準指令値」という場合がある。駆動周波数基準指令値記憶部３１５は、例えばＲＯＭ（Ｒｅａｄ  Ｏｎｌｙ  Ｍｅｍｏｒｙ）により実現される。
（２）補正値一時格納部３１３は、後述の調整モードの場合にはインバータ制御回路３１０ａの外部から補正値を読み込み、読み込んだ補正値を不揮発性メモリ４００ａに転送する。通常動作モードの場合には、不揮発性メモリ４００ａに格納されている補正値を読み込んで、駆動周波数生成出力回路３１１に転送する。駆動周波数基準指令値の「補正値」については後述する。補正値一時格納部３１３は、例えばマイコンに組み込まれたＲＡＭ（Ｒａｎｄｏｍ  Ａｃｃｅｓｓ  Ｍｅｍｏｒｙ）により実現される。
（３）クロック発振回路３１２は、基準クロックを発振する回路である。
（４）駆動周波数生成出力回路３１１（制御信号出力部の一例）は、駆動周波数基準指令値記憶部３１５が記憶する駆動周波数基準指令値と不揮発性メモリ４００ａから補正値一時格納部３１３に転送された補正値とに基づいてインバータ回路３００の駆動周波数を算出し、算出した駆動周波数に対応する制御信号を生成して出力する。
（５）動作モード切替回路３１４は、「調整モード時駆動周波数基準指令値の補正値入力５００」、「通常動作／調整モード切替入力６００」を入力する。これらについては後述する。
【００３０】
（駆動周波数基準指令値：ｎＳＴＤ）
インバータ制御回路３１０ａについて、さらに詳しく説明する。インバータ制御回路３１０ａにおいて、クロック発振回路３１２は、前述のようにマイコンの基準クロックを発振する発振回路であり、発振子は図示を省略している。駆動周波数基準指令値記憶部３１５は、インバータ回路３００の基準となる駆動周波数ｆＳＴＤ（基準駆動周波数）の「基準指令値」を記憶する。この実施の形態における「基準指令値」とは、放電灯負荷回路３３０を構成する各部品の特性値がバラツキの中心値にある場合（補正値ｎｃ＝０）に与えられるインバータ回路３００の駆動周波数ｆＩＮＶ（以下、インバータ駆動周波数、あるいは駆動周波数という）に対応する数値であり、次の（式１）の関係がある。
インバータ回路３００の基準となる駆動周波数：ｆＳＴＤ、
マイコン（クロック発振回路３１２）の基準クロック周波数：ｆＭＩＣ、
駆動周波数基準指令値：ｎＳＴＤ
として、
ｆＳＴＤ＝ｆＭＩＣ÷ｎＳＴＤ      （式１）
である。
【００３１】
例えば、
マイコンの基準クロック周波数ｆＭＩＣ＝６．０００ＭＨｚ、
駆動周波数基準指令値ｎＳＴＤ＝１４１
とする。
この場合、インバータ回路３００の基準となる基準駆動周波数ｆＳＴＤは、
（式１）から
ｆＳＴＤ＝ｆＭＩＣ÷ｎＳＴＤ＝６．０００ＭＨｚ÷１４１＝４２．５５３ｋＨｚ
となる。
【００３２】
（補正値：ｎｃ）
駆動周波数基準指令値ｎＳＴＤの補正値ｎｃは、この駆動周波数基準指令値ｎＳＴＤを補正するための値である。補正値ｎｃは、放電灯負荷回路３３０を構成する部品のバラツキにより、正又は負の値として与えられる数値である。
【００３３】
（演算指令値：ＮＣＡＬ）
駆動周波数基準指令値ｎＳＴＤと補正値ｎｃの和を演算指令値ＮＣＡＬと呼ぶこととする。
すなわち、
ＮＣＡＬ＝ｎＳＴＤ＋ｎｃ
とおく。
【００３４】
（制御信号の生成）
駆動周波数生成出力回路３１１は、補正値ｎｃが存在する場合には、この演算指令値ＮＣＡＬを計算して、次の（式２）で示すインバータ駆動周波数ｆＩＮＶを算出し、算出した駆動周波数ｆＩＮＶに対応する制御信号を生成してインバータ駆動回路３２０に出力する。
すなわち、
インバータ駆動周波数ｆＩＮＶ＝ｆＭＩＣ÷（ｎＳＴＤ＋ｎｃ）＝ｆＭＩＣ÷ＮＣＡＬ    （式２）
【００３５】
例えば、
マイコンの基準クロック周波数ｆＭＩＣ＝６．０００ＭＨｚ
駆動周波数基準指令値ｎＳＴＤ＝１４１、
駆動周波数基準指令値の補正値ｎｃ＝４
とする。
この場合、駆動周波数生成出力回路３１１により算出されるインバータ駆動周波数ｆＩＮＶは、
ｆＩＮＶ＝１４１ＭＨｚ÷１４５＝４１．３７９ｋＨｚ
となる。
【００３６】
また、例えば、
マイコンの基準クロック周波数ｆＭＩＣ＝６．０００ＭＨｚ、
駆動周波数基準指令値＝１４１、
駆動周波数基準指令値の補正値ｎｃ＝−４
とする。
この場合、駆動周波数生成出力回路３１１により算出されるインバータ駆動周波数ｆＩＮＶは、
ｆＩＮＶ＝６．０００ＭＨｚ÷１３７＝４３．７９６ｋＨｚ
となる。
【００３７】
次に補正値の書込みについて説明する。図１に示す「通常動作／調整モード切替入力６００」は、「Ｈ」又は「Ｌ」レベルの信号である。「通常動作／調整モード切替入力６００」の「Ｈ」又は「Ｌ」に従い、動作モード切替回路３１４のモードが切り替わる。
（１）「通常動作／調整モード切替入力６００」が「調整モード」の場合には、インバータ制御回路３１０ａの動作モード切替回路３１４が「調整モード」に切り替わり、「調整モード時駆動周波数基準指令値の補正値入力５００」が取り込まれ（すなわち補正値ｎｃが入力される）る。取り込まれた補正値ｎｃは、補正値一時格納部３１３に格納され、さらに不揮発性メモリ４００ａに転送され、不揮発性メモリ４００ａにより記憶される。
（２）「通常動作／調整モード切替入力６００」により「通常動作」に切り替えた場合には、不揮発性メモリ４００ａに記憶された補正値ｎｃは補正値一時格納部３１３に転送され、駆動周波数生成出力回路３１１がこれを用いることにより、上記（式２）の演算処理を行う。
【００３８】
図２は、インバータ駆動周波数ｆＩＮＶと放電灯負荷回路３３０のコンデンサ１２０の電圧Ｖｃ１２０及び放電灯１１０の放電電流ＩＬの関係を示したものである。横軸はインバータ回路３００の駆動周波数を示す。縦軸はコンデンサ１２０の電圧ＶＣ１２０、あるいは放電灯１１０に流れる電流ＩＬを示す。
また、
（１）グラフ１（破線）は、コンデンサ１２０の静電容量Ｃ１２０、チョークコイル１００のインダクタＬ１００との積である「Ｃ１２０×Ｌ１００」の値が、バラツキ最大の場合における放電灯１１０の予熱時のコンデンサ１２０の電圧ＶＣ１２０の特性を示す。
（２）グラフ２（実線）は、「Ｃ１２０×Ｌ１００」の値が、バラツキｔｙｐ（ｔｙｐｉｃａｌ）の場合における放電灯１１０の予熱時のコンデンサ１２０の電圧ＶＣ１２０の特性を示す。
（３）グラフ３（点線）は、「Ｃ１２０×Ｌ１００」の値が、バラツキ最小の場合における放電灯１１０の予熱時のコンデンサ１２０の電圧ＶＣ１２０の特性を示す。
また、
（４）グラフ１１は、放電灯１１０の点灯時におけるグラフ１に対応する放電電流ＩＬの特性を示す。
（５）グラフ１２は、放電灯１１０の点灯時におけるグラフ２に対応する放電電流ＩＬの特性を示す。
（６）グラフ１３は、放電灯１１０の点灯時におけるグラフ３に対応する放電電流ＩＬの特性を示す。
【００３９】
（グラフ２）
図２において、
グラフ２は、放電灯負荷回路３３０の構成部品の特性値がバラツキの中心値にある場合を示す。グラフ２は、放電灯１１０が未放電時において、コンデンサ１２０に発生する電圧Ｖｃ１２０を示した特性図である。電圧Ｖｃ１２０の最大値をもたらす周波数である固有振動周波数ｆ０ｔｙｐは次の（式４）の条件下、次の（式３）で示される。
即ち
【００４０】
【数１】
2007213871.tif 000003
【００４１】
Ｃ９０＞＞Ｃ１２０      （式４）
ただし、
Ｌ１００：チョークコイル１００のインダクタンス、
Ｃ９０：コンデンサ９０の静電容量、
Ｃ１２０：コンデンサ１２０の静電容量
である。
【００４２】
（グラフ１）
同様に、グラフ１は、Ｌ１００とＣ１２０の積が最大（バラツキｍａｘ）の場合の、上記グラフ２と同様の特性図である。（固有振動周波数は最小：ｆ０ｍｉｎ）
【００４３】
（グラフ３）
同様に、グラフ３は、Ｌ１００とＣ１２０の積が最小（バラツキｍｉｎ）の場合の、上記グラフ２と同様の特性図である。（固有振動周波数は最大：ｆ０ｍａｘ）
【００４４】
（グラフ１２）
また、グラフ１２は、Ｌ１００とＣ１２０の積がバラツキの中心値（ｔｙｐ）の場合において、放電灯１１０が点灯した場合の放電電流ＩＬを示す特性図であり、グラフ２に対応する。グラフ１２と１００％出力時のＩＬを示す一点鎖線の「１００％出力時ＩＬ１８」との「交点１２ａ」は、放電灯１１０の点灯時出力電力が仕様値の１００％のときの駆動周波数ｆ２１に対応する放電電流ＩＬを示している。
【００４５】
（グラフ１１）
同様に、グラフ１１は、Ｌ１００とＣ１２０の積が最大（バラツキｍａｘ）の場合の上記グラフ１２に対応する特性図である（固有振動周波数は最小：ｆ０ｍｉｎ）。また、グラフ１１と一点鎖線の「１００％出力時ＩＬ１８」との「交点１１ａ」は、放電灯１１０の点灯時出力電力が仕様値の１００％のときの駆動周波数ｆ１１に対応する放電電流ＩＬを示している。
【００４６】
（グラフ１３）
同様に、グラフ１３は、Ｌ１００とＣ１２０の積が最小（バラツキｍｉｎ）の場合の上記グラフ１２に対応する特性図である（固有振動周波数は最大：ｆ０ｍａｘ）。また、グラフ１３と一点鎖線の「１００％出力時ＩＬ１８」との「交点１３ａ」は、放電灯１１０の点灯時出力電力が仕様値の１００％のときの駆動周波数ｆ３１に対応する放電電流ＩＬを示している。
【００４７】
次に図３を説明する。図３は、インバータ駆動周波数ｆＩＮＶを生成する生成法の原理を説明する表である。
【００４８】
（行番１）
行番１は、放電灯負荷回路３３０の固有振動周波数ｆ０を示す。行番１のｆ０ｍｉｎ等は、図２で示したものである。
【００４９】
（行番２）
行番２はインバータ回路３００の駆動周波数ｆＩＮＶである。
【００５０】
（行番３）
行番３は演算指令値ＮＣＡＬである。行番３の演算指令値ＮＣＡＬは、前述のように、駆動周波数生成出力回路３１１により、行番５のｎＳＴＤと行番４のｎｃとの和として演算される。インバータ回路３００を駆動するインバータ駆動周波数ｆＩＮＶは、マイコンのクロック周波数ｆＭＩＣを行番３の駆動周波数指令値（演算指令値ＮＣＡＬ）で除した値で得られる。
すなわち、
ｆＩＮＶ＝ｆＭＩＣ÷ＮＣＡＬ
である。
【００５１】
（行番４）
また、行番４の補正値ｎＣは、不揮発性メモリ４００ａからマイコン（インバータ制御部３１０ａ）の補正値一時格納部３１３に格納される数値である。
【００５２】
（行番５）
図３において、行番５の値である駆動周波数基準指令値ｎＳＴＤは、図１の駆動周波数基準指令値記憶部３１５に記憶されている。前記のように、駆動周波数基準指令値記憶部３１５は、例えば、不揮発性メモリの一種であるＲＯＭである。駆動周波数基準指令値ｎＳＴＤは、予めＲＯＭ中に格納される。
【００５３】
なお、行番４の駆動周波数基準指令値の補正値ｎＣは、後述のように放電灯点灯装置１００の製造工程等において出力電力の調整過程で得られ不揮発性メモリ４００ａに記録される。
【００５４】
図４は、図３に対応する図であり、実際の回路を設計した場合の試験データを示した。図４の行番１〜５は図３の行番１〜５に対応している。図４の行番６〜７は、放電灯電力及び放電灯電流の試験データを示す。行番８〜１１はインバータ回路３００の試験条件（設計条件）を示す。
【００５５】
図１〜図４を使って、実施の形態１における放電灯点灯装置１０００の動作を説明する。
【００５６】
先ず、放電灯負荷回路３３０の固有振動周波数が中心値であるｆ０ｔｙｐの場合について説明する。図２ではグラフ２とグラフ１２が相当し、図３と図４では、ｆ０ｔｙｐの列が相当する。
【００５７】
図１において、交流電源１０が投入されると図示を省力した各回路の制御電源が立ち上がり、インバータ制御回路３１０ａのマイコンプログラムも動作を開始する。駆動周波数生成出力回路３１１のＣＰＵ（Ｃｅｎｔｒａｌ  Ｐｒｏｃｅｓｓｉｎｇ  Ｕｎｉｔ）がプログラムを読み込む。なお、インバータ制御回路３１０ａのマイコンプログラムは、例えば、ＲＯＭである駆動周波数基準指令値記憶部３１５に記憶されている。あるいは不揮発性メモリ４００ａに格納されている。
【００５８】
その後、説明を省力する放電灯１１０のフィラメントの予熱動作、始動電圧印加のプログラムを経て、放電灯１１０は点灯する。このときのインバータ駆動周波数ｆ２１は、図３において説明した原理によって生成され、「交点１２ａ」で示した放電灯電流ＩＬが流れる。
【００５９】
ここで仮に、グラフ１１の特性の場合及びグラフ１３の特性の場合も、同一のインバータ駆動周波数ｆ２１で駆動したとする。その場合には、放電灯電流のバラツキ範囲は図２のΔＩＬの範囲の値になる。
【００６０】
そこで、放電灯負荷回路３３０のインダクタンスＬ１００と静電容量Ｃ１２０との積に対応した適当な補正値ｎｃを与えることにより、固有振動周波数が低い場合には（グラフ１、グラフ１１の特性）、インバータ駆動周波数をｆ２１よりも低いｆ１１としてやり、逆に固有振動周波数が大きい場合には（グラフ３、グラフ１３の特性）、インバータ駆動周波数をｆ３１のようにｆ２１よりも高くしてやる。そうすることで、図２に示すように、インバータ回路３００の部品特性のバラツキによる放電灯電流ＩＬのバラツキを小さくすることができる。
【００６１】
次に駆動周波数基準指令値ｎＳＴＤの補正値ｎＣ（図３及び図４の行番４の数値）の定め方について説明する。
【００６２】
図１において、インバータ制御回路３１０ａの「通常動作／調整モード切替入力６００」を「調整モード」にする。その状態で放電灯１１０を点灯させて、放電灯１１０の電力を測定する。
【００６３】
測定した放電灯１１０の電力を、固有振動周波数が中心値の放電灯電力と相対比較をする。比較の結果、差がある場合には、「調整モード時駆動周波数基準指令値の補正値入力５００」から、動作モード切替回路３１４及び補正値一時格納部３１３を介して、正または負の補正値ｎＣを入力する。そして、図３で述べた原理に従ってプログラムを実行しながら、固有振動周波数が中心値の放電灯点灯装置で駆動した場合の放電灯電力と概略一致するように補正値入力を増減させる（補正値入力の増減は人力または自動機などによる）。
【００６４】
放電灯１１０の電力が固有振動周波数が中心の電力と一致した場合は、「通常動作／調整モード切替入力６００」を「通常モード」に切り替えるとともに、補正値一時格納部３１３に格納している駆動周波数基準指令値ｎＳＴＤの補正値ｎＣを不揮発性メモリ４００にも記録する。調整後、交流電源１０が遮断され、そして再び、交流電源１０が再投入された場合、不揮発性メモリ４００ａに格納さえた補正値ｎＣは、補正値一時格納部３１３（ＲＡＭ領域）に書き込まれる。
【００６５】
なお、入力電力は放電灯１１０の電力と制御回路の電力および回路損失の和であり、制御回路の電力と回路損失の電力の和は補正値の調整範囲では大きく変動しないので、放電灯電力に替えて入力電力が概略一致するように補正値を求めても良い。
【００６６】
さらに図４により、具体的設計例の試験データについて説明する。
（１）行番１〜５は図３の行番１〜５に対応している。
（２）行番９に示すように、適合する放電灯の型名は、「ＦＨＦ３２ＥＸ−Ｗ（ＭＩＴＳＵＢＩＳＨＩ／ＯＳＲＡＭ製）」である。
（３）行番６および行番７は、放電灯１１０の電力及び電流を示している。
（４）行番８は、チョークコイル１００とコンデンサ１２０の特性値の積を示す。
（５）行番１０は、コンデンサ６０の電圧を示す。
（６）行番１１は、クロック発振回路３１２のクロック発振周波数を示している。
（７）行番１２は、行番７において、駆動周波数をバラツキ中心の駆動周波数である４２．５５３ｋＨｚで駆動した場合の放電灯電流ＩＬを示している。放電灯電流ＩＬの最大値と最小値の差ΔＩＬは、図２に示したΔＩＬに対応している。
【００６７】
図４の結果から明らかなように、放電灯１１０の点灯時の電力のバラツキは概略ゼロである。すなわち、行番６の放電灯電力は、いずれの場合も４１．１（Ｗ）であり、バラツキは無い。また、行番７は、補正値ｎＣを用いて駆動周波数ｆＩＮＶを算出した場合の放電電流ＩＬを示している。行番７に示すように、補正値ｎＣを用いた場合は、放電電流ＩＬのバラツキは５（ｍＡ）にとどまっている。一方、行番１２は、ｍｉｎ，ｔｙｐ，ｍａｘいずれの特性の場合も駆周波数が同一（４２．５５３ｋＨｚ）の場合である。この場合は、放電電流ＩＬのバラツキは１８（ｍＡ）であり、ΔＩＬ＝３６（ｍＡ）になる。このように、補正値ｎＣを用いた場合は、放電電流ＩＬのバラツキも大幅に小さくなっている。なお、不揮発性メモリ４００ａはマイコン内部（インバータ制御回路３１０ａの内部）に備える構成でもよいことは勿論である。
【００６８】
また、図３及び図４では、放電灯負荷回路３３０を構成する部品（主として共振用コンデンサ、共振用コイル）のバラツキを補正する原理と実試験データについて説明したが、その他の回路部、例えば昇圧チョッパ回路の構成部分のバラツキにより出力電圧が変動するような場合についても、適当な駆動周波数基準指令値ｎＳＴＤの補正値ｎＣを与えることで、放電灯１１０の点灯時の電力のバラツキを概略ゼロにすることができる。
【００６９】
なお、図３、図４の場合について、具体的な放電灯点灯装置としての動作は次の様である。放電灯点灯装置１０００が、図４の「ｆ０ｍｉｎ」の場合に該当することを想定する。
【００７０】
（１）駆動周波数基準指令値記憶部３１５は、インバータ回路３００の駆動周波数ｆＩＮＶに対応する値である駆動周波数基準指令値ｎＳＴＤを記憶している。図４のように
ｎＳＴＤ＝１４１
である。
（２）不揮発性メモリ４００ａは、駆動周波数基準指令値記憶部３１５が記憶する駆動周波数基準指令値ｎＳＴＤを補正する補正値ｎＣを記憶している。この補正値ｎＣは、前述のように「通常動作／調整モード切替入力６００」、「調整モード時駆動周波数基準指令値の補正値入力５００」により、補正値ｎＣが不揮発性メモリ４００ａに格納される。よって、不揮発性メモリ４００ａは不揮発的に、駆動周波数基準指令値ｎＳＴＤを補正する値である補正値ｎＣを記憶する。
この場合、図４のように
ｎＣ＝「＋４」である。
（３）インバータ制御回路３１０ａの駆動周波数生成出力回路３１１は、駆動周波数基準指令値記憶部３１５が記憶するｎＳＴＤ＝１４１と、不揮発性メモリ４００ａが記憶するｎＣ＝「＋４」とに基づいてインバータ回路３００の駆動周波数ｆＩＮＶを算出し、算出したｆＩＮＶに対応する制御信号を生成してインバータ駆動回路３２０に出力する。前述したように、駆動周波数生成出力回路３１１は、クロック発振回路３１２の発振するクロック信号の周波数（図４では６ＭＨｚ）をｎＳＴＤ＝１４１とｎＣ＝「＋４」との和で除算し、除算して得られた値をインバータ回路３００の駆動周波数とする。すなわち、駆動周波数生成出力回路３１１は、
６ＭＨｚ÷（１４１＋４）＝４１．３７９ｋＨｚ
を算出し、４１．３７９ｋＨｚに対応する制御信号を生成してインバータ駆動回路３２０に出力する。
（４）インバータ駆動回路３２０は、駆動周波数生成出力回路３１１が出力した前記制御信号を入力し、入力した４１．３７９ｋＨｚに対応する制御信号からインバータ回路３００を駆動するドライブ信号を生成する。もちろん、生成したドライブ信号もインバータ駆動周波数である４１．３７９ｋＨｚに対応する信号である。インバータ駆動回路３２０は、生成したドライブ信号をインバータ回路３００に出力する。
（５）インバータ回路３００は、インバータ駆動周波数である４１．３７９ｋＨｚに対応するドライブ信号にしたがって、４１．３７９ｋＨｚの駆動周波数で駆動することにより、この駆動周波数に応じた高周波電力を放電灯１１０に供給する。これにより、放電灯１１０の出力を容易、かつ正確に調整することができる。
【００７１】
以上のように本実施の形態１の放電灯点灯装置１０００によれば、放電灯負荷回路３３０の部品の特性値にバラツキがある場合でも、調整用の部品を付加することなくマイコンのプログラムによりバラツキを補正する補正値を与えることができ、放電灯１１０の点灯時の電力のバラツキを概略ゼロにすることができる。即ち、本放電灯点灯装置を搭載した複数の照明器具間の光出力を概略同一にできる。このような小型で安価な放電灯点灯装置を提供することができる。
【００７２】
実施の形態１の放電灯点灯装置１０００は、駆動周波数生成出力回路３１１が、補正値に基づきインバータ駆動周波数を算出し、このインバータ駆動周波数から制御信号を生成するので、放電灯出力のバラツキを簡易に補正することができる。よって、点灯時における放電灯の電力のバラツキを抑制することができる。
【００７３】
実施の形態１の放電灯点灯装置１０００は、駆動周波数生成出力回路３１１が、クロック信号を発振するクロック発振回路を備えるとともに、このクロック信号の周波数を基準指令値とこの補正値との和で除算し、除算して得られた値をインバータ駆動周波数とする。よって、補正値のみを修正することで容易に放電灯出力のバラツキに対応することができる。
【００７４】
実施の形態１の放電灯点灯装置１０００は、インバータ回路３００の基準駆動周波数に対応する基準指令値を記憶している。このため、放電灯点灯装置１０００を搭載した複数の照明器具どうしの光出力を概略同一にできる。
【００７５】
実施の形態２．
次に、図５〜図１１を用いて実施の形態２における放電灯点灯装置２０００を説明する。実施の形態２における放電灯点灯装置２０００は、実施の形態１の放電灯点灯装置１０００と同様に放電灯が装着される放電灯点灯回路の部品のバラツキを不揮発性メモリに記憶して前記部品のバラツキに起因する放電灯点灯電流のバラツキを補正する構成を備えるとともに、さらに、放電灯の累積点灯時間に対応して放電灯の調光率を変化させ、放電灯の光出力を一定に保つ構成を備えるものである。
【００７６】
図５は、実施の形態２の放電灯点灯装置２０００の構成を示す回路図である。
【００７７】
放電灯点灯装置２０００は、実施の形態１と同様に放電灯負荷回路３３０の部品の特性バラツキによって生じる本点灯装置が搭載された照明器具の光出力のバラツキを小さくするとともに、さらに放電灯の使用時間（累積点灯時間）の経過に伴う照度の低下を抑制する。図５において図１と同一又は同等の作用をする要素には同一符号を付してあり、その説明を省略する。
【００７８】
放電灯点灯装置２０００は、放電灯点灯装置１０００に対して、さらに点灯時間カウンタ２００１を備える点と、不揮発性メモリ４００ｂ（累積点灯時間記録部の一例）が、放電灯の累積点灯時間を記録する「累積点灯時間記録領域２００２」を有する点が異なる。放電灯点灯装置１０００に対して、放電灯点灯装置２０００では「符号ｂ」を用いてインバータ制御回路３１０ｂ、不揮発性メモリ４００ｂと表記した。
【００７９】
インバータ制御回路３１０ｂにおいて、駆動周波数生成出力回路３１１は、図示を省略した放電灯１１０の「寿命末期保護検出回路」からの信号を得て、放電灯１１０が正常点灯の場合にのみ、インバータ駆動回路３２０に出力を送出するものとする。
【００８０】
インバータ制御回路３１０ｂの点灯時間カウンタ２００１は、クロック発振回路３１２のクロック発振周波数ｆＭＩＣと、駆動周波数生成出力回路３１１ｂの動作信号の有無を基にして、インバータ駆動回路３２０に制御信号が出力されている場合の時間、即ち、放電灯１１０が正常点灯している時間を累積計時し、不揮発性メモリ４００ｂに送出する。不揮発性メモリ４００ｂは、放電灯１１０の点灯時間を累積して累積点灯時間として累積点灯時間記録領域２００２に記録する。
【００８１】
その際、インバータ制御回路３１０ｂは、不揮発性メモリ４００ｂに既に累積されている点灯時間に現在の累積点灯時間を加算して新たな累積点灯時間として、不揮発性メモリ４００ｂに予め定められたタイミングで記録する。予め定められたタイミングとは、例えば、インバータ制御回路３１０ｂの点灯時間カウンタ２００１が１時間になった場合、あるいは、交流電源１０が遮断された場合などである。
【００８２】
図６は、図２に相当する特性図である。記載されているグラフは、図２と同様であり、横軸がインバータ回路３００の駆動周波数であり、縦軸が放電灯負荷回路３３０のコンデンサ１２の電圧及び放電灯１１０の放電電流ＩＬである。図６は、図２の特性図に、さらに放電灯１１０の出力電力が約７０％（約７０％調光）の場合の放電電流ＩＬの動作点１５、動作点１６、動作点１７を追加したものである。
【００８３】
図６において、「動作点１６」は、放電灯負荷回路３３０の固有振動周波数がバラツキの中心値であり、かつ、放電灯１１０の出力電力が約７０％のときの、インバータ駆動周波数ｆ２３に対応する放電電流ＩＬの動作点である。
【００８４】
同様に「動作点１５」は、固有振動周波数のバラツキが最小値の場合の駆動周波数ｆ１３と放電電流ＩＬの動作点を示す。
【００８５】
「動作点１７」は、固有振動周波数のバラツキが最大値の場合の駆動周波数ｆ３３と放電電流ＩＬの動作点を示すものである。
【００８６】
図７は図３に相当する駆動周波数生成法の原理を説明するための表である。図７において、行番５の値（駆動周波数基準指令値ｎＳＴＤ）は、プログラムで与えられる数値であり、図２の場合と同様である。放電灯１１０の電力を全光の１００％から減少させる場合、即ち、光束を減光させる場合は、駆動周波数基準指令値ｎＳＴＤは全光の１００％時の場合よりも小さくする。この駆動周波数基準指令値ｎＳＴＤの値は、放電灯１１０の累積点灯時間に対応して予め設定されており、駆動周波数生成出力回路３１１のＣＰＵがプログラムに基づき選択・設定する。
【００８７】
図８は放電灯１１０の累積点灯時間（横軸）と減光率（縦軸）との関係の一例を示すグラフである。例えば、図８に示すように、累積点灯時間がゼロ時間である初期値は、７０調光（３０％減光）になるように駆動周波数基準指令値ｎＳＴＤをプログラムで設定し、その後、累積点灯時間が１０００時間増加する毎に２％調光率が増加するように駆動周波数基準指令値ｎＳＴＤをプログラムで減少させるよう設定する。即ち、累積点灯時間が１０００時間増加するごとに３０％→２８％→２６％・・・のように減光率が下がっていくことになる。そうすれば、累積点灯時間が１５０００時間を経過した時点（図８のｔ１５）で調光率が１００％（０％減光）になる。図８では５０００時間をｔ５，１００００時間をｔ１０等と表している。また、例えば、累積点灯時間０．５千時間毎に１％調光率が増加するようにマイコンのプログラムを設定すれば、累積点灯時間の増加に対する調光率の変化をより滑らか（ｓｍｏｏｔｈ）にすることができる。すなわち、図８の減少する刻みが半分（５００時間ごとに１％減光率が下がる）になるので、調光率の変化が滑らかになる。
【００８８】
駆動周波数基準指令値ｎＳＴＤを減少することにより、インバータ駆動周波数は増加し、放電灯１１０の電力は減少する。これは次の理由からである。
インバータ駆動周波数ｆＩＮＶ＝ｆＭＩＣ÷ｎＳＴＤ
であり、
ｎＳＴＤ→小のとき、ｆＩＮＶ→大
となる。
ｆＩＮＶが大きくなると、図６のグラフ１１〜１３に示すように放電電流ＩＬが減少することによる。
【００８９】
さらに図７の説明を続ける。図７の行番４は、実施の形態１で説明した補正値ｎＣである。実施の形態１で説明したように、不揮発性メモリ４００ｂから転送されて補正値一時格納部３１３（ＲＡＭ）に格納される数値である。補正値ｎＣの値は、放電灯負荷回路３３０の部品の特性バラツキによって決まる。補正値ｎＣは、通常、放電灯１１０の累積点灯時間に関係なく全光の１００％出力時と同一の値が設定される。また、実施の形態１で述べたように、行番４の補正値ｎＣと、行番５の駆動周波数基準指令値ｎＳＴＤとの和が行番３の演算指令値ＮＣＡＬの数値として演算される。
【００９０】
インバータ回路３００の駆動周波数ｆＩＮＶは、クロック発振回路３１２のクロック周波数を行番３の演算指令値ＮＣＡＬで除した値として得られる。これも実施の形態１の場合と同様である。
【００９１】
なお、行番４の補正値ｎＣは、実施の形態１で説明したのと同一の手順により、放電灯点灯装置２０００の製造工程等において放電灯１１０の出力電力の調整過程で得られ不揮発性メモリ４００ｂに記録される。
【００９２】
図９（ａ）は、放電灯１１０の点灯時の電力を一定にした場合の、累積点灯時間と光束の関係を示した特性図である。横軸が累積点灯時間を示し、縦軸が光束を示す。図９（ａ）に示すように、放電灯１１０の光束は累積点灯時間の経過に伴って低下する。また、時間の経過に伴って、放電灯１１０の汚れや装着している照明器具の汚れなどによっても光量は低下する。
【００９３】
図９（ｂ）は、累積点灯時間の経過に伴って放電灯の電力を増加することを示す図である。横軸が累積点灯時間を示し、縦軸が放電灯の電力を示す。放電灯１１０の光量が累積点灯時間に伴って低下することを抑制するため、図９（ｂ）のように、累積点灯時間が短い時は放電灯１１０の電力を全光の１００％よりも抑制し（例えば７０％：７０％調光）、放電灯の累積点灯時間の経過に伴って放電灯１１０の電力を増加していく。このような制御により、図９（ｃ）のように、累積点灯時間の経過によっても、放電灯の光出力が概略一定になる。このように、累積点灯時間が放電灯の定格寿命になった場合に、全光の１００％の電力になるように駆動周波数の基準指令値ｎＳＴＤをプログラムで与える。
【００９４】
即ち、累積点灯時間に対する放電灯１１０の電力が図９（ｂ）の特性になるように、所定の累積点灯時間の増加毎に（例えば、５００時間の増加毎に）、それに対応した放電灯１１０の電力が得られるような駆動周波数基準指令値ｎＳＴＤをマイコンプログラムで設定する。これによって、累積点灯時間の経過に対して、放電灯１１０の光出力を図９（ｃ）の特性になるように制御することがきる。なお、累積点灯時間が放電灯の定格寿命に到達したり、あるいは放電灯１１０が定格寿命前に不良になった場合等は、新品放電灯への置換作業と、それに対応した不揮発性メモリ４００ｂにおける累積点灯時間の初期値へのクリア（ＲＥＳＥＴ）が行われる（図示省略）。
【００９５】
即ち、図９（ｂ）のように、放電灯１１０が新品又は新品と交換直後には、例えば放電灯電力７０％の調光点灯をさせておき、累積点灯時間の経過とともに次第に放電灯１１０の電力を全光の１００％にするよう制御する。
【００９６】
図５〜図１０を用いて、実施の形態２の放電灯点灯装置２０００の動作を説明する。
【００９７】
先ず、放電灯負荷回路３３０の固有振動周波数がバラツキの中心値であるｆ０ｔｙｐの場合について説明する。ｆ０ｔｙｐには図６におけるグラフ２とグラフ１２とが対応し、図７、図１０とでは、固有振動周波数ｆ０における「ｆ０ｔｙｐの列」がこのｆ０ｔｙｐに相当する。
【００９８】
図５において交流電源１０が投入されると、実施の形態１で説明したのと同様に、放電灯１１０は点灯する。
【００９９】
（ｆ０ｔｙｐ：７０％調光）
ここで、放電灯１１０が新品又は新品と交換直後であれば図９（ｂ）に示すように、例えば、放電灯の電力が７０％（７０％調光）になるような、
駆動周波数基準指令値ｎＳＴＤ＝ｎ３（図７の行番５）
がマイコンプログラムで与えられる。この場合の駆動周波数ｆＩＮＶは、ｆ２３（図７、２行目）である。このｆ２３に対応して図６の「動作点１６」で示される放電電流ＩＬが放電灯１１０に流れる。
【０１００】
（ｆ０ｔｙｐ：８５％調光）
そして累積点灯時間の経過に従って、放電灯電力を７０％調光から適当な調光ステップで増加させる。
例えば、８５％調光の場合は、
駆動周波数基準指令値ｎＳＴＤ＝ｎ２
として、駆動周波数ｆ２２となるように制御する。
【０１０１】
（ｆ０ｔｙｐ：１００％調光）
また、全光の１００％出力時には、
駆動周波数基準指令値ｎＳＴＤ＝ｎ１
として、駆動周波数ｆ２１となるように制御する。この場合、放電灯電流ＩＬは、図６の「動作点１２ａ」になるように制御される。これによって、放電灯１１０の光出力は図５（ｃ）のように、累積点灯時間の経過に対し概略一定になるように制御できる。
【０１０２】
（ｆ０ｍａｘ：７０％調光）
同様に、放電灯負荷回路３３０の固有振動周波数が最大（ｆ０ｍａｘ）の場合、７０％調光では、図７に示すように、
駆動周波数基準指令値ｎＳＴＤ＝ｎ３、
駆動周波数基準指令値の補正値ｎＣ＝−ｎｃ１（ｎｃ１＞０）、
駆動周波数ｆＩＮＶ＝ｆ３３
となる。
これは、図６では、放電灯電流ＩＬは「動作点１７」になる。
【０１０３】
（ｆ０ｍａｘ：８５％調光）
また、８５％調光では、
駆動周波数基準指令値ｎＳＴＤ＝ｎ２、
補正値ｎＣ＝−ｎｃ１、
駆動周波数ｆＩＮＶ＝ｆ３２
となる。
【０１０４】
（ｆ０ｍａｘ：１００％調光）
全光の１００％出力では、
駆動周波数基準指令値ｎＳＴＤ＝ｎ１、
補正値ｎＣ＝−ｎｃ１、
駆動周波数ｆＩＮＶ＝ｆ３１となる。
図６では、放電灯電流ＩＬは「動作点１３ａ」となるように制御する。
【０１０５】
（ｆ０ｍｉｎの場合）
同様に、放電灯負荷回路３３０の固有振動周波数が最小（ｆ０ｍｉｎ）の場合、駆動周波数基準指令値の補正値として＋ｎｃ１が選択される以外は同様に制御され、放電灯１１０の光出力は図９（ｃ）のように、累積点灯時間の経過に対し固有振動周波数が中心値の場合と同じ値で概略一定になるように制御できる。
【０１０６】
そして、累積点灯時間が放電灯１１０の定格寿命に達したり、あるいは放電灯１１０が定格寿命前に不良になった場合等は、新品放電灯への置換作業と、それに応動した不揮発性メモリ４０１の累積点灯時間の初期値へのクリア（ＲＥＳＥＴ）が行われる（図示省略）。
【０１０７】
図１０を参照して具体的設計例の試験データについて説明する。図１０は、図７に対応し、実際のインバータ回路３００、放電灯負荷回路３３０等を設計した場合の試験データを示した図である。
（１）図１０の行番１〜５は図７の行番１〜５に対応している。
（２）行番９に示すように、適合する放電灯の型名は、「ＦＨＦ３２ＥＸ−Ｗ（ＭＩＴＳＵＢＩＳＨＩ／ＯＳＲＡＭ製）」である。
（３）行番６および行番７は、放電灯１１０の電力及び電流を示している。
（４）行番８は、チョークコイル１００とコンデンサ１２０の特性値の積を示す。
（５）行番１０は、コンデンサ６０の電圧を示す。
（６）行番１１は、クロック発振回路３１２のクロック発振周波数を示している。
（７）行番１２は、行番７において、駆動周波数をバラツキ中心の駆動周波数である４２．５５３ｋＨｚで駆動した場合の放電灯電流ＩＬを示している。放電灯電流ＩＬの最大値と最小値の差ΔＩＬは、図２に示したΔＩＬに対応している。
【０１０８】
図１０の行番６に示す放電灯１１０の電力の結果から明らかなように、放電灯１１０の点灯時の電力のバラツキは概略ゼロである。放電灯１１０の電力は、累積点灯時間に対応して与えられる駆動周波数基準指令値ｎＳＴＤによって、累積点灯時間の経過に従って増加するよう制御される。行番６が示すように、累積点灯時間の各通過ポイントで適当な基準周波数基準指令値ｎＳＴＤを与えることで、放電灯１１０の光出力を図９（ｃ）の特性にすることができる。
【０１０９】
（補正値ｎＣを用いる場合）
また、放電灯負荷回路３３０の部品の特性バラツキを補正する駆動周波数基準指令値ｎＳＴＤの補正値ｎＣを加味した駆動周波数ｆＩＮＶを用いることにより、全光時には勿論、各調光時において放電灯電力を概略同一にできる。
【０１１０】
（調光率７０％時）
例えば、調光率７０％時に、本実施の形態２による制御方式（補正値ｎＣを用いて駆動周波数ｆＩＮＶを算出）での放電電流ＩＬのバラツキΔＩＬは、１ｍＡ（＝２２１−２２０：図１０、行番７）である。これに対し、駆動周波数ｆＩＮＶを５３．０９７ｋＨｚとした一定周波数の場合のΔＩＬは、７４ｍＡ（図１０、行番１２）と大幅に増大している。
【０１１１】
（調光率８５％時）
同様に、調光率８５％の場合は、本実施の形態２による制御方式（補正値ｎＣを用いて駆動周波数ｆＩＮＶを算出）での放電電流ＩＬのΔＩＬは、６ｍＡ（＝２９３−２８７：図１０、行番７）である。これに対し、駆動周波数ｆＩＮＶを一定とした場合のΔＩＬは、４７ｍＡ（図１０、行番１２）と大幅に増大している。
【０１１２】
即ち、本実施の形態２による制御方式（補正値ｎＣを用いて駆動周波数ｆＩＮＶを算出）によれば、放電灯負荷回路３３０の部品の特性バラツキによらず、各調光率のおいて、放電灯１１０の光出力を概略同一にできる。なお、不揮発性メモリはマイコン内部に保有するものでもよいことは勿論である。
【０１１３】
なお、図１０の場合について、具体的な放電灯点灯装置２０００の動作は次の様である。放電灯点灯装置２０００の特性が、図６の「ｆ０ｍｉｎ」の場合に該当することを想定する。
（１）（駆動周波数基準指令値記憶部３１５）
放電灯点灯装置２０００が、図６の「ｆ０ｍｉｎ」に該当する場合には、その特性は、図６のグラフ、グラフ１１が対応する。駆動周波数基準指令値記憶部３１５は、図１０における行番５の「ｆ０ｍｉｎ」のそれぞれの駆動周波数基準値ｎＳＴＤであるｎＳＴＤ＝１１３（７０％出力）、ｎＳＴＤ＝１２３（８５％出力）、ｎＳＴＤ＝１４１（１００％出力）を累積点灯時間との関係で記憶している。図１１は、駆動周波数基準指令値記憶部３１５が記する累積点灯時間と基準指令値ｎＳＴＤとの対応関係を示す対応テーブル２００３である。
対応テーブル２００３は、累積点灯時間をｔとした場合、
０≦ｔ＜ｔ１の場合は、ｎＳＴＤ＝１１３、
ｔ１≦ｔ＜ｔ２の場合は、ｎＳＴＤ＝１２３、
ｔがｔ２以上の場合は、ｎＳＴＤ＝１４１が対応することを示している。
図９（ｄ）は、図１１の対応テーブル２００３の対応関係をグラフ化して示している。対応テーブル２００３により、不揮発性メモリ４００ｂに記録された累積点灯時間ｔにより１１３、１２３、１４１という複数の駆動周波数基準指令値ｎＳＴＤのなかからいずれかが定まることとなる。
（２）（駆動周波数生成出力回路３１１）
具体的には、駆動周波数生成出力回路３１１は、不揮発性メモリ４００ｂに記録された累積点灯時間ｔを参照することにより駆動周波数基準指令値記憶部３１５が記憶する複数の駆動周波数基準指令値ｎＳＴＤである１１３、１２３、１４１のなかから、対応テーブル２００３の累積点灯時間の範囲に合致する駆動周波数基準指令値ｎＳＴＤを選択値として選択する。例えば、駆動周波数生成出力回路３１１は、不揮発性メモリ４００ｂに記録された累積点灯時間ｔがｔ１≦ｔ＜ｔ２の範囲（８５％出力範囲）に属する場合、選択値としてｎＳＴＤ＝１２３を選択する。この設例では補正値ｎＣを考慮しないので、駆動周波数生成出力回路３１１は、インバータ駆動周波数ｆＩＮＶを次のように４８．７８０ｋＨｚと算出する。
すなわち、
ｆＩＮＶ＝クロック周波数ｆＭＩＣ÷ｎＳＴＤ
である。この説例では、図１０の行番１１に示すようにクロック周波数ｆＭＩＣ＝６ＭＨｚである。
よって、
ｆＩＮＶ＝６ＭＨｚ÷１２３＝４８．７８０ｋＨｚ
となる。
駆動周波数生成出力回路３１１は、算出した前記インバータ駆動周波数ｆＩＮＶ＝４８．７８０ｋＨｚに対応する制御信号を生成してインバータ駆動回路３２０に出力する。
後の動作は、実施の形態１の場合と同様である。
（３）以上に説明した「ｆ０ｍｉｎ」に該当する場合では、実施の形態１で述べた補正値ｎＣを考慮しない場合を説明した。続いて、「ｆ０ｍｉｎ」に該当する場合であり、かつ、補正値ｎＣを考慮する場合について説明する。これは、図１０の「ｆ０ｍｉｎ」（補正値＝＋４）に該当するものである。
【０１１４】
（「ｆ０ｍｉｎ」に該当し、補正値ｎＣを考慮する場合）
（１）（駆動周波数基準指令値記憶部３１５）
この場合も、駆動周波数基準指令値記憶部３１５は、図１１の対応テーブル２００３を記憶しているとする。本設例では、さらに、不揮発性メモリ４００ｂが、対応テーブル２００３に記載された基準指令値である１１３、１２３、１４１のそれぞれを補正する補正値ｎＣを記憶している。この補正値ｎＣは、図１０の行番４に示すように、「＋４」である。本設例では基準指令値である１１３、１２３、１４１の全部に一律「＋４」の補正値ｎＣを設定しているが、これは一例である。基準指令値ごとに異なる補正値ｎＣを設定してもよい。また、補正値が０（ゼロ）の基準指令値（つまり補正しない）が存在しても構わない。これらの場合、不揮発性メモリ４００ｂが記憶する補正値と、対応テーブル２００３に記載された基準指令値とを関連付けておけばよい。このように、不揮発性メモリ４００ｂが少なくともいずれかの基準指令値を補正する補正値を記憶していれば、実施の形態１で説明した効果を得ることができる。
（２）（駆動周波数生成出力回路３１１）
上記の「補正値ｎＣを考慮しない場合」と同様にして、駆動周波数生成出力回路３１１は、不揮発性メモリ４００ｂに記録された累積点灯時間ｔを参照することにより対応テーブル２００３から合致する駆動周波数基準指令値ｎＳＴＤを選択値として選択する。選択値としてｎＳＴＤ＝１２３を選択したとする。駆動周波数生成出力回路３１１は、この選択値に補正値が存在する場合には、選択値とこの選択値の補正補正値とに基づいてインバータ回路３００の駆動周波数ｆＩＮＶを算出する。
本設例では、
ｎＳＴＤ＝１２３には
補正値ｎＣ＝「＋４」
が存在する。
よって、
駆動周波数生成出力回路３１１は、選択値であるｎＳＴＤ＝１２３と補正値＝「＋４」とに基づき駆動周波数ｆＩＮＶを算出する。
この設例では補正値ｎＣを考慮することにより、駆動周波数生成出力回路３１１は、インバータ駆動周波数ｆＩＮＶを次のように４７．２４４ｋＨｚと算出する。
ｆＩＮＶ＝クロック周波数ｆＭＩＣ÷（ｎＳＴＤ＋ｎＣ）
である。この設例では、図１０の行番１１に示すようにクロック周波数ｆＭＩＣ＝６ＭＨｚである。
よって、
ｆＩＮＶ＝６ＭＨｚ÷（１２３＋４）＝４７．２４４ｋＨｚ
となる。
駆動周波数生成出力回路３１１は、算出した前記インバータ駆動周波数ｆＩＮＶ＝４７．２４４ｋＨｚに対応する制御信号を生成してインバータ駆動回路３２０に出力する。
後の動作は、実施の形態１の場合と同様である。
【０１１５】
以上のように本施例の形態２によれば、実施の形態１の場合と同様に、放電灯負荷回路３３０の部品の特性値にバラツキがある場合でも、調整用の部品を付加することなくマイコンのプログラムでバラツキを補正する補正値を与えることができ、放電灯１１０の点灯時の電力のバラツキを全光時には勿論、各調光時においても概略放電灯電力を同一にできる効果がある。
【０１１６】
また、累積点灯時間の各通過ポイントで適当な駆動周波数基準指令値を与えることで、放電灯１１０の光出力を図９（ｃ）のような累積点灯時間に対する放電灯１１０の光出力が概略一定であるような特性にすることができる効果がある。即ち、本点灯装置を搭載した複数の照明器具間の光出力を累積点灯時間の初期から寿命末期までにわたって概略同一にできる小型で安価な放電灯点灯装置を提供することができる効果がある。
【０１１７】
実施の形態２の放電灯点灯装置２０００は、駆動周波数生成出力回路３１１が、不揮発性メモリ４００ｂに記録された累積点灯時間ｔを参照することにより駆動周波数基準指令値記憶部３１５が記憶する対応テーブル２００３に記載された複数の基準指令値のなかから累積点灯時間ｔに対応する所定の基準指令値を選択値として選択し、選択した選択値に基づいてインバータ回路３００の駆動周波数を算出し、算出した駆動周波数に対応する制御信号を生成して出力する。このため、放電灯点灯装置２０００は、放電灯１１０の光出力を累積点灯時間の初期から寿命末期までにわたって概略同一することができる。
【０１１８】
実施の形態２の放電灯点灯装置２０００は、駆動周波数生成出力回路３１１が、
クロック信号を発振するクロック発振回路を備えるとともに、このクロック信号の周波数を基準指令値で除算し、除算して得られた値をインバータ駆動周波数とする。よって、累積点灯時間の経過に対して基準指令値のみを変えていくことで、容易に放電灯出力の出力を調整することができる。
【０１１９】
実施の形態２の放電灯点灯装置２０００は、
駆動周波数基準指令値記憶部３１５が記憶する複数の基準指令値のうちの少なくともいずれかを補正する補正値を記憶する不揮発性メモリ４００ｂを備え、
駆動周波数生成出力回路３１１が、選択値として選択した基準指令値に補正値が存在する場合には、選択した基準指令値とこの基準指令値を補正する補正値とに基づいてインバータ駆動周波数を算出する。
したがって、累積点灯時間に応じて基準指令値を選択する場合にも、放電灯出力のバラツキを簡易に補正することができる。
【０１２０】
実施の形態２の放電灯点灯装置２０００は、
駆動周波数生成出力回路３１１が、選択値として選択した基準指令値にその補正値が存在する場合には、クロック発振回路の発振するクロック信号の周波数を選択値とその補正値との和で除算し、除算して得られた値をインバータ駆動周波数とする。よって、基準指令値と補正値とはメモリに書き込むだけでよいので、なんら部品を必要とすることなく、放電灯の光出力を調整することができる。
【０１２１】
実施の形態２の放電灯点灯装置２０００は、駆動周波数基準指令値記憶部３１５が、互いに異なる複数の基準駆動周波数のそれぞれに対応する複数の基準指令値を記憶するので、このため、累積点灯時間の経過にともない、放電灯点灯装置２０００を搭載した複数の照明器具どうしの光出力を概略同一にできる。
【０１２２】
以上の実施の形態１、実施の形態２で説明した放電灯点灯装置は、以下に示すような効果を奏する。
【０１２３】
放電灯負荷回路の部品の特性値にバラツキがある場合でも、調整用の部品を付加することなくマイコンのプログラムでバラツキを補正する補正値を与えることができ、放電灯の点灯時の電力のバラツキを全光時には勿論、各調光時においても概略放電灯電力を同一にできる効果がある。また、累積点灯時間の各通過ポイントで適当な駆動周波数基準指令値を与えることで、放電灯の累積点灯時間に対する放電灯の光出力が概略一定であるような特性にすることができる効果がある。即ち、本放電灯点灯装置を搭載した複数の照明器具間の光出力を累積点灯時間の初期から寿命末期までにわたって概略同一にできる小型で安価な放電灯点灯装置を提供することができる効果がある。
【０１２４】
以上の実施の形態では、直流電源を高周波電源に変換して放電灯を点灯させる放電灯点灯装置において、
指令値に対応して所定の発振周波数から分割された複数の駆動周波数を出力可能なマイコン制御回路（インバータ制御回路）と、上記放電灯の累積点灯時間とを不揮発的に記憶するメモリとを備え、上記指令値と累積点灯時間とに対応する駆動周波数を上記マイコン制御回路から出力して放電灯を点灯させる放電灯点灯装置を説明した。
【０１２５】
以上の実施の形態では、直流電源を高周波電源に変換して放電灯を点灯させる放電灯点灯装置において、指令値に対応して所定の発振周波数から分割された複数の駆動周波数を出力可能なマイコン制御回路と、放電灯負荷回路のバラツキを上記駆動周波数の指令値の補正値として不揮発的に記録するメモリとを備え、上記指令値と指令値の補正値とに対応する駆動周波数を上記マイコン制御回路から出力して放電灯を点灯させることを特徴とする放電灯点灯装置を説明した。
【０１２６】
以上の実施の形態では、直流電源を高周波電源に変換して放電灯を点灯させる放電灯点灯装置において、指令値に対応して所定の発振周波数から分割された複数の駆動周波数を出力可能なマイコン制御回路と、放電灯負荷回路のバラツキを補正する駆動周波数の指令値の補正値及び上記放電灯の累積点灯時間とを不揮発的に記録するメモリとを備え、上記指令値と指令値の補正値と累積点灯時間に対応する駆動周波数を上記マイコン制御回路から出力して放電灯を点灯させる放電灯点灯装置を説明した。
【０１２７】
以上の実施の形態では、放電灯の駆動周波数は、マイコンの基準クロック周波数を上記指令値で除した周波数であることを特徴とする放電灯点灯装置を説明した。
【０１２８】
以上の実施の形態では、放電灯の駆動周波数はマイコンの基準クロック周波数を上記指令値と上記指令値の補正値との和で除した周波数であることを特徴とする放電灯点灯装置を説明した。
【０１２９】
以上の実施の形態では、上記指令値を累積点灯時間の経過とともに大きくすることを特徴とする放電灯点灯装置を説明した。
【０１３０】
以上の実施の形態では、上記指令値の補正値を累積点灯時間の経過で一定にすることを特徴とする放電灯点灯装置を説明した。
【０１３１】
以上の実施の形態では、上記放電灯の正常点灯時間を累積点灯時間とすることを特徴とする放電灯点灯装置を説明した。
【図面の簡単な説明】
【０１３２】
【図１】実施の形態１における放電灯点灯装置１０００の回路図。
【図２】実施の形態１における放電灯点灯装置１０００の動作を説明するための説明図。
【図３】実施の形態１における駆動周波数の生成方法を示す図。
【図４】実施の形態１における放電灯点灯装置１０００の実動作の試験データ表。
【図５】実施の形態２における放電灯点灯装置２０００の回路図。
【図６】実施の形態２における放電灯点灯装置２０００の動作を説明するための説明図。
【図７】実施の形態２における放電灯点灯装置２０００の動作を説明するための説明図。
【図８】実施の形態２における調光を説明する図。
【図９】実施の形態２における累積点灯時間と放電灯の光出力との関係を示す図。
【図１０】実施の形態２における放電灯点灯装置２０００の実動作の試験データ表。
【図１１】実施の形態２における対応テーブルを示す図。
【符号の説明】
【０１３３】
１０  交流電源、２０  ダイオードブリッジ、３０  チョークコイル、４０  ダイオード、５０  スイッチング素子、６０  コンデンサ、７０，８０  スイッチング素子、９０  カップリングコンデンサ、１００  チョークコイル、１１０  放電灯、１２０  コンデンサ、２００  昇圧チョッパ回路、２１０  昇圧チョッパ制御回路、３００  インバータ回路、３１０ａ，３１０ｂ  インバータ制御回路、３１１  駆動周波数生成出力回路、３１２  クロック発振回路、３１３  補正値一時格納部、３１４  動作モード切替回路、３１５  駆動周波数基準指令値記憶部、２００１  点灯時間カウンタ、２００２  累積点灯時間記録領域、２００３  対応テーブル、３２０  インバータ駆動回路、３３０  放電灯負荷回路、４００ａ，４００ｂ  不揮発性メモリ、５００  調整モード時駆動周波数基準指令値の補正値入力、６００  通常動作／調整モード切替入力、１０００，２０００  放電灯点灯装置。
【図１】
2007213871.tif 000004
【図２】
2007213871.tif 000005
【図３】
2007213871.tif 000006
【図４】
2007213871.tif 000007
【図５】
2007213871.tif 000008
【図６】
2007213871.tif 000009
【図７】
2007213871.tif 000010
【図８】
2007213871.tif 000011
【図９】
2007213871.tif 000012
【図１０】
2007213871.tif 000013
【図１１】
2007213871.tif 000014